(57)【要約】【課題】  軟弱地盤に対する処理作業が、容易にできるようにする。【解決手段】  軟弱地盤１における埋め立てなどの処理対象域２を囲むようにチューブ４を軟弱地盤１上に設置すると共に、チューブ４に水３を注入することによりこのチューブ４を堤体として処理対象域２に貯水部８を設定し、この貯水部８に処理作業用の浮体９を移動可能に浮かべて、この浮体９により処理対象域２に対し処理作業をするようにする。干潮時に、軟弱地盤１上にチューブ４を設置すると共に、このチューブ４に水３を注入し、満潮時の水７を処理対象域２に流入させて貯水部８を設定するようにする。【選択図】    図１
2005290855.tif 000002
【特許請求の範囲】
【請求項１】
軟弱地盤における埋め立てなどの処理対象域を囲むようにチューブを上記軟弱地盤上に設置すると共に、上記チューブに水を注入することによりこのチューブを堤体として上記処理対象域に貯水部を設定し、この貯水部に処理作業用の浮体を移動可能に浮かべて、この浮体により上記処理対象域に対し処理作業をするようにしたことを特徴とする軟弱地盤の処理工法。
【請求項２】
干潮時に、上記軟弱地盤上にチューブを設置すると共に、このチューブに水を注入し、満潮時の水を上記処理対象域に流入させて上記貯水部を設定するようにしたことを特徴とする請求項１に記載の軟弱地盤の処理工法。
【請求項３】
水面下に位置する軟弱地盤における埋め立てなどの処理対象域を囲むようにチューブを上記軟弱地盤上に設置すると共に、上記チューブに水を注入することによりこのチューブを堤体として上記処理対象域の水を排水し、この処理対象域に対し処理作業をするようにしたことを特徴とする軟弱地盤の処理工法。
【請求項４】
上記軟弱地盤上に仮設道路を設置し、この仮設道路を上記チューブに連結し、上記処理対象域に対する処理作業を上記仮設道路本体上から行うようにしたことを特徴とする請求項１から３のうちいずれか１つに記載の軟弱地盤の処理工法。
【発明の詳細な説明】
【技術分野】
【０００１】
本発明は、海岸や沼地など軟弱地盤において、埋め立て作業や、ドレーン材の打設という地盤改良作業など処理作業を、貯水部に浮かべた作業用浮体を用いて行うようにした軟弱地盤の処理工法に関するものである。
【背景技術】
【０００２】
上記軟弱地盤の処理工法には、従来、下記特許文献１に示されるものがある。この公報のものによれば、水面下に位置する軟弱地盤に対し地盤改良についての処理作業をするというものであって、水面に作業用浮体を移動可能に浮かべ、この浮体に粘性土圧密用ドレーン材の打設機を搭載し、上記浮体を水面の所望位置へ次々と移動させ、これと共に移動する打設機によって、上記処理作業を順次進めることとされている。
【０００３】
そして、上記した軟弱地盤の処理工法によれば、浮体による打設機の移動が、水面上で容易にできる分、上記処理作業が、より容易にできることとされている。
【０００４】
【特許文献１】特開２００２−９７６２６公報
【発明の開示】
【発明が解決しようとする課題】
【０００５】
ところで、上記軟弱地盤が外気に露出している場合には、このままでは、上記のような浮体を用いて処理作業をすることはできない。また、打設機は重量物であるため、この打設機を車両に搭載して、上記軟弱地盤上を自由に移動する、ということは容易でない。
【０００６】
そこで、従来では、上記軟弱地盤に対し処理作業をする場合には、まず、この軟弱地盤上に固化版を作ったり、土木安定シートを敷設する等の作業が行われるが、このような処理作業は極めて煩雑である。
【課題を解決するための手段】
【０００７】
本発明は、上記のような事情に注目してなされたもので、本発明の目的は、軟弱地盤に対する処理作業が、容易にできるようにすることである。
【０００８】
請求項１の発明は、軟弱地盤１における埋め立てなどの処理対象域２を囲むようにチューブ４を上記軟弱地盤１上に設置すると共に、上記チューブ４に水３を注入することによりこのチューブ４を堤体として上記処理対象域２に貯水部８を設定し、この貯水部８に処理作業用の浮体９を移動可能に浮かべて、この浮体９により上記処理対象域２に対し処理作業をするようにしたものである。
【０００９】
請求項２の発明は、請求項１の発明に加えて、干潮時に、上記軟弱地盤１上にチューブ４を設置すると共に、このチューブ４に水３を注入し、満潮時の水７を上記処理対象域２に流入させて上記貯水部８を設定するようにしたものである。
【００１０】
請求項３の発明は、水面下に位置する軟弱地盤１における埋め立てなどの処理対象域２を囲むようにチューブ４を上記軟弱地盤１上に設置すると共に、上記チューブ４に水３を注入することによりこのチューブ４を堤体として上記処理対象域２の水７を排水し、この処理対象域２に対し処理作業をするようにしたものである。
【００１１】
請求項４の発明は、請求項１から３のうちいずれか１つの発明に加えて、上記軟弱地盤１上に仮設道路１５を設置し、この仮設道路１５を上記チューブ４に連結し、上記処理対象域２に対する処理作業を上記仮設道路本体２２上から行うようにしたものである。
【００１２】
なお、この項において、上記各用語に付記した符号は、本発明の技術的範囲を後述の「実施例」の項や図面の内容に限定解釈するものではない。
【発明の効果】
【００１３】
本発明による効果は、次の如くである。
【００１４】
請求項１の発明は、軟弱地盤における埋め立てなどの処理対象域を囲むようにチューブを上記軟弱地盤上に設置すると共に、上記チューブに水を注入することによりこのチューブを堤体として上記処理対象域に貯水部を設定し、この貯水部に処理作業用の浮体を移動可能に浮かべて、この浮体により上記処理対象域に対し処理作業をするようにしてある。
【００１５】
このため、上記処理工法により上記処理対象域に対し処理作業をするときには、この処理対象域に設定された貯水部の水面に沿って浮体を移動させながら処理作業ができ、この処理作業は、軟弱地盤上を車両を移動させながら処理作業をすることに比べて、より容易にできる。
【００１６】
また、上記貯水部の設定のための堤体の成形は、石やコンクリートなどを積み上げるという煩雑なものではなく、まず、上記処理対象域の縁部にチューブを敷設すると共に、このチューブに水を注入するということで達成されるのであり、また、処理作業を終えた後の上記貯水部の撤去は、例えば、チューブ内の水を排水して、上記チューブの嵩を小さくし、このチューブを乗り越えるようにして上記貯水部の水を排水させ、これにより嵩が小さくなって軽量となったチューブを処理すれば足りることから、上記貯水部の設定や撤去は容易にでき、つまり、上記軟弱地盤の処理対象域に対する処理作業が容易にできる。
【００１７】
請求項２の発明は、干潮時に、上記軟弱地盤上にチューブを設置すると共に、このチューブに水を注入し、満潮時の水を上記処理対象域に流入させて上記貯水部を設定するようにしてある。
【００１８】
このため、上記チューブで囲まれた凹所への水の注入は、自然現象の利用により極めて容易にでき、つまり、上記軟弱地盤の処理対象域に対する処理作業が、より容易にできる。
【００１９】
請求項３の発明は、水面下に位置する軟弱地盤における埋め立てなどの処理対象域を囲むようにチューブを上記軟弱地盤上に設置すると共に、上記チューブに水を注入することによりこのチューブを堤体として上記処理対象域の水を排水し、この処理対象域に対し処理作業をするようにしてある。
【００２０】
このため、上記軟弱地盤が水面下にある場合には、まず、この軟弱地盤上へ上記チューブを設置すると共に、このチューブに水を流入し、このチューブで囲まれた凹所から水を排出させるという簡単な作業により、上記処理対象域を外気に露出させることができる。
【００２１】
よって、上記処理対象域に対し、例えば、盛土による埋め立ての処理作業をする場合には、この処理作業は水に邪魔されることなく、容易にできることとなる。
【００２２】
請求項４の発明は、上記軟弱地盤上に仮設道路を設置し、この仮設道路を上記チューブに連結し、上記処理対象域に対する処理作業を上記仮設道路本体上から行うようにしている。
【００２３】
このため、上記仮設道路は、軟弱地盤上に設置されてはいるが、上記チューブへの連結によりこのチューブによって補強されることから、重量物である盛土材や、ドレーン打設用など資材の運搬という処理作業も上記仮設道路の利用により可能となる。よって、この仮設道路が有効利用される分、上記軟弱地盤に対する処理作業が更に容易にできる。
【発明を実施するための最良の形態】
【００２４】
本発明の軟弱地盤の処理工法に関し、軟弱地盤に対する処理作業が、容易にできるようにする、という目的を実現するため、本発明を実施するための最良の形態は、次の如くである。
【００２５】
即ち、軟弱地盤における埋め立てなどの処理対象域を囲むようにチューブを上記軟弱地盤上に設置すると共に、上記チューブに水を注入することによりこのチューブを堤体として上記処理対象域に貯水部を設定し、この貯水部に処理作業用の浮体を移動可能に浮かべて、この浮体により上記処理対象域に対し処理作業をするようにしている。
【実施例】
【００２６】
本発明をより詳細に説明するために、その実施例を添付の図に従って説明する。
【００２７】
図１，２において、符号１は、海岸における埋立地としての軟弱地盤１であり、この軟弱地盤１において、処理作業をしようとする処理対象域２を囲むよう、水３が注入されて充填されたチューブ４が上記軟弱地盤１上に設置されている。ここで、上記処理とは、軟弱地盤１の処理対象域２に対する埋め立て、地盤改良、およびこれらに付帯する各種の作業内容を含む概念である。
【００２８】
図例では、上記処理対象域２に隣接して、上記軟弱地盤１上に既存の堤体５が存在しており、上記チューブ４は、平面視で、コの字状に配置されて、その開口が上記堤体５により閉じられている。この場合、上記チューブ４により、上記処理対象域２を全体的に取り囲むようにしてもよい。また、上記水３は、海水の他、川水や泥や砂が混入した水であってもよい。
【００２９】
上記チューブ４は樹脂製膜材により成形されたもので、水３の注入前においては、平坦な帯形状に折り畳み可能なものであり、これはロール状として搬送される。なお、上記チューブ４は、その外殻を構成する径大チューブ内に複数の径小チューブを嵌入して、これら径小チューブに水３を充填させるようにしてもよい。
【００３０】
上記チューブ４と堤体５とで囲まれた凹所は、これら４，５が堤体として上記水３と同様の水７が貯留される貯水部８とされ、この貯水部８の水面に処理作業用の浮体９が浮かべられて、上記貯水部８の水面を自由に移動可能とされている。上記浮体９には、地盤改良のための粘性土圧密用ドレーン材１１の打設機１２で例示される処理作業機１３が搭載されている。上記浮体９は、船や台船であってもよく、移動用推進機を搭載していてもよい。
【００３１】
図１―３において、上記軟弱地盤１上の所定位置に仮設道路１５が設置されている。この仮設道路１５は、上記チューブ４の各側方近傍に立設されてその下部が上記軟弱地盤１に打ち込まれた複数の縦杭１６，１６と、上記チューブ４の上方近傍でこのチューブ４の幅方向に水平状に延びて上記各縦杭１６の長手方向の中途部にクランプ１７により着脱可能に連結され、上記各縦杭１６を補強する横梁１８と、上記チューブ４の長手方向に延び、この長手方向で隣り合う上記縦杭１６，１６同士をクランプ１７により着脱可能に連結して上記各縦杭１６を補強する縦梁１９と、上記チューブ４の各側面に上記各縦杭１６を着脱可能に連結させる繊維ベルト製の連結具２０とを備えている。
【００３２】
また、上記仮設道路１５は仮設道路本体２２を有し、この仮設道路本体２２は、上記チューブ４の長手方向に沿って延び、この長手方向で隣り合う横梁１８，１８に支持される道路板材２３と、この道路板材２３を上記各横梁１８に着脱可能に連結させる連結具である番線２４と、上記チューブ４の長手方向に延び、この長手方向で隣り合う縦杭１６，１６の各上端部にクランプ１７により着脱可能に連結される手摺２５とを備えている。上記各縦杭１６、横梁１８、縦梁１９、および手摺２５はそれぞれ断面円形で互いに同寸法のパイプ製とされている。
【００３３】
上記仮設道路１５は、上記チューブ４を跨ぐように軟弱地盤１上に設置されており、軟弱地盤１にある程度以上の安定性があれば、上記左右縦杭１６，１６は、上記チューブ４がその幅方向の各外側方に膨出しようとすることを規制し、また、上記チューブ４が幅方向へ移動しようとすることを規制する。そして、上記仮設道路１５の一部重量が上記チューブ４にて支持されている。
【００３４】
上記仮設道路１５の仮設道路本体２２上は、人の移動が可能であり、また、上記処理対象域２の埋め立てを目的とし、この処理対象域２に向かって盛土材などの処理材２８を撒くよう供給可能な供給機２９の設置が可能であると共に、この供給機２９に対し上記堤体５側から上記処理材２８を供給可能なベルト式のコンベア３０の設置も可能とされている。また、上記仮設道路１５は、上記処理対象域２に対する地盤改良のためのドレーン打設用など資材の運搬も可能とされている。
【００３５】
全図において、上記処理対象域２に対し処理作業をする場合には、まず、上記堤体５を利用して、上記処理対象域２の外縁部に上記チューブ４を敷設し、このチューブ４内に水３を注入し充満させる。また、これと共に、上記仮設道路１５を組み立てる。なお、上記チューブ４の敷設と、このチューブ４への水３の注入はいずれが先であってもよく、同時であってもよい。
【００３６】
ここで、上記処理対象域２は海岸に近いところにあって、潮の干満がある。そこで、上記チューブ４と堤体５とで囲まれた凹所への水７の注入として、干潮時に、上記軟弱地盤１上にチューブ４を設置すると共に、このチューブ４に水３を注入し、満潮時の水７を上記処理対象域２に流入させて上記貯水部８を設定するようにしてある。なお、上記凹所への水７の注入は水ポンプによってもよい。
【００３７】
上記したように、チューブ４内に水３を注入し充満させると、上記チューブ４は水３の自重と水圧とによって断面が楕円形状となり、その下面は広い面積で上記軟弱地盤１上に面接触することから、その面圧は低く維持されて、上記軟弱地盤１内に上記チューブ４が大きく沈み込むことは防止される。
【００３８】
次に、上記チューブ４と堤体５とで囲まれた凹所に、これら４，５を堤体として水７を注入して貯留させることにより、貯水部８を設定する。そして、この貯水部８の水面に上記浮体９を浮かべて、この浮体９を貯水部８の水面の所望位置へ次々と移動させ、これと共に移動する上記打設機１２によって、処理作業を順次進行させる。
【００３９】
上記打設機１２による処理作業が終われば、上記チューブ４の少なくとも一部から水３を排出させてこのチューブ４の一部を収縮させるなどして、上記貯水部８の水７を排水し、上記処理対象域２を外気に露出させる。そして、上記コンベア３０により処理材２８を上記供給機２９に供給して、この供給機２９により上記処理材２８を上記処理対象域２上に撒くことにより盛土し、次に、この処理材２８を上記処理対象域２上に均一に分配すれば、上記処理作業が終わる。
【００４０】
上記処理作業が終われば、上記仮設道路１５を各部品に分解して処理し、また、上記チューブ４の全体から水３を排水して収縮させ、嵩を小さくして処理すればよい。
【００４１】
上記構成の処理工法によれば、軟弱地盤１における埋め立てなどの処理対象域２を囲むようにチューブ４を上記軟弱地盤１上に設置すると共に、上記チューブ４に水３を注入することによりこのチューブ４を堤体として上記処理対象域２に貯水部８を設定し、この貯水部８に処理作業用の浮体９を移動可能に浮かべて、この浮体９により上記処理対象域２に対し処理作業をするようにしている。
【００４２】
このため、上記処理工法により上記処理対象域２に対し処理作業をするときには、この処理対象域２に設定された貯水部８の水面に沿って浮体９を移動させながら処理作業ができ、この処理作業は、軟弱地盤１上を車両を移動させながら処理作業をすることに比べて、より容易にできる。
【００４３】
また、上記貯水部８の設定のための堤体の成形は、石やコンクリートなどを積み上げるという煩雑なものではなく、まず、上記処理対象域２の縁部にチューブ４を敷設すると共に、このチューブ４に水３を注入するということで達成されるのであり、また、処理作業を終えた後の上記貯水部８の撤去は、例えば、チューブ４内の水３を排水して、上記チューブ４の嵩を小さくし、このチューブ４を乗り越えるようにして上記貯水部８の水７を排水させ、これにより嵩が小さくなって軽量となったチューブ４を処理すれば足りることから、上記貯水部８の設定や撤去は容易にでき、つまり、上記軟弱地盤１の処理対象域２に対する処理作業が容易にできる。
【００４４】
また、前記したように、干潮時に、上記軟弱地盤１上にチューブ４を設置すると共に、このチューブ４に水３を注入し、満潮時の水７を上記処理対象域２に流入させて上記貯水部８を設定するようにしてある。
【００４５】
このため、上記チューブ４と堤体５とで囲まれた凹所への水７の注入は、自然現象の利用により極めて容易にでき、つまり、上記軟弱地盤１の処理対象域２に対する処理作業が、より容易にできる。
【００４６】
ここで、水面下に位置する軟弱地盤１における埋め立てなどの処理対象域２を囲むようにチューブ４を上記軟弱地盤１上に設置すると共に、上記チューブ４に水３を注入することによりこのチューブ４を堤体として上記処理対象域２の水７を排水し、この処理対象域２に対し処理作業をするようにしてもよい。
【００４７】
このようにすれば、上記軟弱地盤１が水面下にある場合には、まず、この軟弱地盤１上へ上記チューブ４を設置すると共に、このチューブ４に水３を注入し、このチューブ４で囲まれた凹所から水７を排出させるという簡単な作業により、上記処理対象域２を外気に露出させることができる。
【００４８】
よって、上記処理対象域２に対し、例えば、盛土による埋め立ての処理作業をする場合には、この処理作業は水に邪魔されることなく、容易にできることとなる。
【００４９】
また、前記したように、上記軟弱地盤１上に仮設道路１５を設置し、この仮設道路１５を上記チューブ４に連結し、上記処理対象域２に対する処理作業を上記仮設道路本体２２上から行うようにしている。
【００５０】
このため、上記仮設道路１５は、軟弱地盤１上に設置されてはいるが、上記チューブ４への連結によりこのチューブ４によって補強されることから、重量物である盛土材や、ドレーン打設用など資材の運搬という処理作業も上記仮設道路１５の利用により可能となる。よって、この仮設道路１５が有効利用される分、上記軟弱地盤１に対する処理作業が更に容易にできる。
【図面の簡単な説明】
【００５１】
【図１】処理作業の状態を示す全体平面図である。
【図２】図１の２‐２線矢視断面図である。
【図３】処理作業の状態を示す部分斜視断面図である。
【図４】図１の４‐４線矢視図である。
【符号の説明】
【００５２】
１    軟弱地盤
２    処理対象域
３    水
４    チューブ
５    堤体
７    水
８    貯水部
９    浮体
１１  ドレーン材
１２  打設機
１３  処理作業機
１５  仮設道路
２８  処理材
【図１】
2005290855.tif 000003
【図２】
2005290855.tif 000004
【図３】
2005290855.tif 000005
【図４】
2005290855.tif 000006